(57)【要約】【課題】表面に貼付された視認対象物のみを強く発光させて良好に視認することができる透過台を提供すること。【解決手段】一面に開口部３を有する筐体２と、筐体２の内側から開口部３を塞ぐように配置され、表面４ａに視認対象物１００が貼付される透明なガラス板４と、筐体２の内部に配置され、ガラス板４の少なくとも一側端面４ｃに向けて光を出射するＬＥＤ光源６とを有し、ＬＥＤ光源６は、光軸がガラス板４の側端面４ｃから該ガラス板４の裏面４ｂに向くように傾斜して配置されていることを特徴とする。【選択図】図２
0003183256.tif 000002
【実用新案登録請求の範囲】
【請求項１】
一面に開口部を有する筐体と、
前記筐体の内側から前記開口部を塞ぐように配置され、表面に視認対象物が貼付される透明なガラス板と、
前記筐体の内部に配置され、前記ガラス板の少なくとも一側端面に向けて光を出射するＬＥＤ光源とを有し、
前記ＬＥＤ光源は、光軸が前記ガラス板の側端面から該ガラス板の裏面に向くように傾斜して配置されていることを特徴とする透過台。
【請求項２】
前記ＬＥＤ光源の光軸は、前記ガラス板の裏面に対して１°〜１５°の角度で交差するように傾斜していることを特徴とする請求項１記載の透過台。
【請求項３】
前記ＬＥＤ光源は、前記ガラス板の側端面の長さ方向に沿って配列された複数個のＬＥＤチップによって構成されていることを特徴とする請求項１又は２記載の透過台。
【請求項４】
前記ＬＥＤチップは、表面実装型のＬＥＤチップであることを特徴とする請求項３記載の透過台。
【請求項５】
前記ガラス板と前記筐体の内底面との間に、１ｍｍ〜２ｍｍの隙間が形成されていることを特徴とする請求項１〜４のいずれかに記載の透過台。
【請求項６】
前記筐体の内底面は、暗色であることを特徴とする請求項５記載の透過台。
【考案の詳細な説明】
【技術分野】
【０００１】
本考案は透過台に関し、詳しくは、指紋や足跡等（以下、指紋等という。）の鑑識作業時に、指紋等が転写された鑑識シートを貼付し、指紋等を発光させて視認し易くするための透過台に関する。
【背景技術】
【０００２】
従来、指紋等の鑑識作業時に、該指紋等を発光させて視認し易くする装置として、平板からなる導光板の少なくとも一側端部に光源が配置されたエッジライト方式の表示装置が提案されている（特許文献１）。
【０００３】
この表示装置は、光源を含む導光板の端部を、内面に反射シートが設けられた筐体によって覆うことで導光板を固定保持するようにしている。この従来の表示装置における筐体は、導光板の側端部において光源が配置される部位のみに設けられているため、導光板の表裏は開放状態にある。このため、導光板の表裏何れの面にも鑑識シートを貼付することができるようになっている。
【０００４】
そして、光源を点灯させると、光源から導光板の側端部に入射した光が導光板中を全反射しながら伝播するので、作業者から見ても導光板が発光することはない。しかし、導光板の一方の面に指紋等が転写された鑑識シートを貼付すると、導光板を伝播する光が鑑識シートの指紋等によって散乱されるため、指紋等をその形状に合わせて発光させることができる。
【０００５】
このような従来のエッジライト方式の表示装置は、薄型でコンパクトに構成でき、携帯性に優れることから、現場での鑑識作業にも容易に持ち運ぶことができる利点を有している。
【先行技術文献】
【特許文献】
【０００６】
【特許文献１】特開２００８−９６９８２号公報
【考案の概要】
【考案が解決しようとする課題】
【０００７】
しかしながら、このように構成されたエッジライト方式の表示装置では、導光板に貼付した鑑識シートの指紋等を発光させることはできても、発光強度が弱く、正確な鑑識作業を行う上では十分なものとはいえなかった。
【０００８】
このため光源の発光強度を強くすることが考えられるが、消費電力の増加によりバッテリー容量が大きくなって装置が大型化してしまい、携帯性が犠牲になってしまう問題がある。
【０００９】
また、鑑識シートが貼付された導光板の背面側に、鑑識シートに向けて光を反射させるための反射板を設けることも考えられるが、導光板全面が発光してしまうため、かえって指紋等が視認しづらくなってしまう問題がある。
【００１０】
そこで、本考案は、表面に貼付された視認対象物のみを強く発光させて良好に視認することができる透過台を提供することを課題とする。
【００１１】
本考案の他の課題は、以下の記載により明らかとなる。
【課題を解決するための手段】
【００１２】
上記課題は、以下の各考案によって解決される。
【００１３】
１．一面に開口部を有する筐体と、
前記筐体の内側から前記開口部を塞ぐように配置され、表面に視認対象物が貼付される透明なガラス板と、
前記筐体の内部に配置され、前記ガラス板の少なくとも一側端面に向けて光を出射するＬＥＤ光源とを有し、
前記ＬＥＤ光源は、光軸が前記ガラス板の側端面から該ガラス板の裏面に向くように傾斜して配置されていることを特徴とする透過台。
【００１４】
２．前記ＬＥＤ光源の光軸は、前記ガラス板の裏面に対して１°〜１５°の角度で交差するように傾斜していることを特徴とする前記１記載の透過台。
【００１５】
３．前記ＬＥＤ光源は、前記ガラス板の側端面の長さ方向に沿って配列された複数個のＬＥＤチップによって構成されていることを特徴とする前記１又は２記載の透過台。
【００１６】
４．前記ＬＥＤチップは、表面実装型のＬＥＤチップであることを特徴とする前記３記載の透過台。
【００１７】
５．前記ガラス板と前記筐体の内底面との間に、１ｍｍ〜２ｍｍの隙間が形成されていることを特徴とする前記１〜４のいずれかに記載の透過台。
【００１８】
６．前記筐体の内底面は、暗色であることを特徴とする前記５記載の透過台。
【考案の効果】
【００１９】
本考案によれば、表面に貼付された視認対象物のみを強く発光させて良好に視認することができる透過台を提供することができる。
【図面の簡単な説明】
【００２０】
【図１】本考案に係る透過台の一例を示す平面図
【図２】図１中の(ii)−(ii)線に沿う断面図
【図３】光源から導光板に光が出射する様子を説明する図
【考案を実施するための形態】
【００２１】
以下、本考案を実施するための形態について説明する。
【００２２】
図１は、本考案に係る透過台の一例を示す平面図、図２は、図１中の(ii)−(ii)線に沿う断面図である。
【００２３】
透過台１は、平面視矩形状に形成された箱型の筐体２を有している。筐体２の上面は、図１中の左右端のみに上面板２ａ、２ａが形成されている。各上面板２ａ、２ａの対向する先端は、それぞれやや下向きに傾斜することによって先端部２ｂ、２ｂが形成されている。そして、筐体２には、これら先端部２ｂ、２ｂと筐体２の図１中の上下に配置される側面板２ｃ、２ｃの上縁とによって囲まれるように、矩形状の開口部３が形成されている。
【００２４】
特に限定されるわけではないが、筐体２の寸法の一例を挙げると、外形寸法は２８５ｍｍ×１９７ｍｍ×２３ｍｍ、開口部３の開口寸法は２００ｍｍ×１９４ｍｍとすることができる。
【００２５】
開口部３にはガラス板４が設けられている。ガラス板４は、開口部３の周縁よりも外側に張り出す程度の大きさに形成されており、筐体２の内側に配置されることで、開口部３を筐体２の内側から塞いでいる。
【００２６】
ガラス板４は、透明で表裏両面が平滑で平行な平板状に形成されている。開口部３から露出するガラス板４の表面４ａは、指紋等が転写された鑑識シート（視認対象物）１００を貼付する貼付面となっている。
【００２７】
ガラス板４は平面視矩形状に形成されており、その周囲の４つの側端部のうちの対向する２つの側端部は、筐体２の上面板２ａの先端部２ｂ、２ｂによって覆われている。また、他の対向する２つの側端部の端面は、筐体２の側面板２ｃ、２ｃによって覆われている。従って、ガラス板４は、開口部３から露出している表面４ａ以外は筐体２によって被覆されている。
【００２８】
ガラス板４の厚みは、鑑識シート１００の指紋等を良好に発光できるようにする観点から、４〜６ｍｍとすることができ、特に５ｍｍとすることが好ましい。
【００２９】
ガラス板４における筐体２の上面板２ａ、２ａ側に位置する２つの側端部には、ガラス板４を裏面４ｂ側から先端部２ｂ、２ｂに押し当てて保持するための保持部材５、５が設けられている。保持部材５、５は、対向する側面板２ｃ、２ｃ間とほぼ同じ長さで延びており、ガラス板４と筐体２の内底面２ｄとの間に挟み付けられるように設けられている。
【００３０】
これにより、ガラス板４は筐体２の内底面２ｄと接触することなく、両者間に保持部材５の厚み分の隙間Ｓが形成されている。この隙間Ｓは、ガラス板４と内底面２ｄとが接触しないものであればよいが、大きすぎると筐体２の厚みが大きくなって携帯性に劣るようになるため、１ｍｍ〜２ｍｍが適当である。
【００３１】
このように筐体２の内部においてガラス板４と内底面２ｄとの間に隙間Ｓを設けることによって、ガラス板４中を伝播して裏面に達した光は散乱することなく全反射するようになるので、ガラス板４の背面側が筐体２によって覆われていても、ガラス板４の全面が発光するようなことはなく、鑑識シートの指紋等のみを発光させることができ、この指紋等を明瞭に視認することができるようになる。
【００３２】
また、このような保持部材５がガラス板４の側端部の裏面４ｂ側に設置されることによって、ガラス板４の裏面４ｂ側は、筐体２の内底面２ｄ、側面板２ｃ、２ｃ及び保持部材５、５によって遮蔽される。遮蔽性を高める点で、これら内底面２ｄ、側面板２ｃ、２ｃ及び保持部材５、５のいずれかは暗色に形成されていることが好ましい。
【００３３】
この中でも、特に内底面２ｄは暗色に形成されていることが好ましい。これによって、ガラス板４の背面が暗色となるので、ガラス板４の表面４ａに貼付された鑑識シート１００を視認する際、その背面側の景色が視認の邪魔になることがなく、視認性を向上させることができる。
【００３４】
内底面２ｄを暗色に形成する場合、全面を暗色の塗料を用いて塗装するようにしてもよいし、暗色に着色されたシートやフィルム等を貼着するようにしてもよい。暗色は艶消しであることが好ましく、特に艶消しの黒色が好ましい。
【００３５】
保持部材５は、ガラス板４の側端部よりも更に外側にはみ出すように設けられている。筐体２の内部において、このガラス板４の側端部からはみ出した各保持部材５の上面には、ガラス板４の側端面４ｃに向けて光を照射するためのＬＥＤ光源６、６が、それぞれ側端面４ｃに近接して配置されている。
【００３６】
本実施形態では、ガラス板４の側端面４ｃの長さ方向に沿って１０個のＬＥＤチップ６ａを配列させることによって一つのＬＥＤ光源６を構成している。これにより、ガラス板４の側端面４ｃの全長に亘って光を照射することができる。ＬＥＤチップ６ａの数はガラス板４の大きさに応じて適宜増減できる。
【００３７】
ＬＥＤチップ６ａとしては、特に高輝度な発光が可能な表面実装型のＬＥＤチップ（チップ型ＬＥＤともいう。）を好ましく用いることができる。
【００３８】
ＬＥＤ光源６は、鑑識シート１００の指紋等を明瞭に視認できるように発光させることができる点で、色温度は２０００〜１００００Ｋとすることが好ましく、中でも５５００Ｋ〜６５００Ｋがより好ましく、６０００Ｋが特に好ましい。
【００３９】
ＬＥＤ光源６は、ガラス板４の側端面４ｃと平行に延びるように配置されるが、図３に示すように、その光軸Ｌ（表面実装型の場合はＬＥＤチップ表面に対する垂直軸）がガラス板４の側端面４ｃから該ガラス板４の裏面４ｂに向くように傾斜して配置されている。
【００４０】
これにより、ガラス板４中を伝播して裏面４ｂに達する光は、該裏面４ｂで表面４ａ側に向けて全反射するが、特にＬＥＤ光源６から出射する光のうち光軸Ｌ近傍の光は最も輝度が高いので、光軸Ｌをガラス板４の裏面４ｂ側に向かうように設定することによって、ガラス板４中を伝播した高輝度の光を、ガラス板４の表面４ａに貼付された鑑識シート１００に向けて効率的に照射させることができ、高輝度の光によって鑑識シート１００の指紋等をくっきりと明瞭に発光させることができるようになる。
【００４１】
この光軸Ｌの角度は、ガラス板４の厚みや大きさ等によって適宜調整することができるが、一例を挙げれば、図２、図３のような側面視で、光軸Ｌがガラス板４の裏面４ｂに対してなす角度θが１°〜１５°となるように設定することである。
【００４２】
各ＬＥＤ光源６は、図２に示すように、保持部材５から上面板２ａにかけて立設された支持板部５ａに取り付けられている。この支持板部５ａの立設角度を適宜調整することによって、ＬＥＤ光源６の光軸Ｌの角度を調整することができる。
【００４３】
この支持板部５ａは、ＬＥＤ光源６の背面側を遮蔽する遮蔽部材としても機能している。これにより、ガラス板４のＬＥＤ光源６側に位置する２つの側端部は、上面板２ａの先端部２ｂ、支持板部５ａ及び保持部材５によって取り囲まれることで遮蔽されている。
【００４４】
これら先端部２ｂ、支持板部５ａ及び保持部材５によって遮蔽された部位のうち、先端部２ｂの内面には、光反射面７が設けられている。光反射面７は、アルミ蒸着テープ等の光反射機能を有するテープやフィルム等を貼着することによって形成してもよいし、先端部２ｂの内面に対してアルミ等を蒸着することによって形成してもよい。
【００４５】
なお、図１中、８はＯＮ／ＯＦＦスイッチ、９はバッテリ−ＢＯＸ、１０は調光スイッチ、１１はＡＣ電源の入力端子である。
【００４６】
次に、このように構成された透過台１の作用について説明する。
【００４７】
指紋等が転写された鑑識シート１００をガラス板４の表面４ａに貼付し、ＬＥＤ光源６を点灯させると、ＬＥＤ光源６から出射された光は、ガラス板４の側端面４ｃからやや下向きに入射し、その後、ガラス板４中を全反射しながら伝播するが、裏面４ｂで反射した光は全反射して表面４ａ側に向かい、鑑識シート１００が貼付された部位に到達する。
【００４８】
鑑識シート１００はガラス板４の表面４ａに密着しているため、この鑑識シート１００に到達した光は、ガラス板４の表面４ａで全反射することなく、鑑識シート１００中の指紋等によって散乱することによって該指紋等を発光させる。特に、この鑑識シート１００に到達する光は、ガラス板４中を伝播して裏面４ｂで全反射したＬＥＤ光源６の光軸Ｌ近傍の高輝度の光であるため、指紋等をくっきりと強く発光させることができるようになる。
【００４９】
このとき、ガラス板４の背面側は筐体２で覆われているため、鑑識作業を行う場所がどこであっても、ガラス板４の背面側の景色が指紋等の視認の邪魔になることはない。しかも、視認時にガラス板４の背面に位置している筐体２の内底面２ｄは、ガラス板４に対して所定の隙間Ｓで離間しているので、ガラス板４中を伝播して裏面に達した光は散乱することなく全反射する。このため、ガラス板４の背面全面が発光するようなことはなく、鑑識シートの指紋等のみが発光して、これを明瞭に視認することができるようになる。
【００５０】
以上説明した実施形態では、ＬＥＤ光源６をガラス板４の対向する２つの側端面４ｃに向けて光を出射させるように配置したが、光源６はガラス板４の少なくとも一側端面４ｃに向けて光を出射できるように配置されていればよい。ＬＥＤ光源６の配設数はガラス板４の大きさや形状に応じて適宜設定することができる。
【符号の説明】
【００５１】
１：透過台
２：筐体
２ａ：上面板
２ｂ：先端部
２ｃ：側面板
２ｄ：内底面
３：開口部
４：導光板
４ａ：表面
４ｂ：裏面
４ｃ：側端面
５：保持部材
５ａ：支持板部
ＬＥＤ６：光源
６ａ：ＬＥＤチップ
７：光反射面
８：ＯＮ／ＯＦＦスイッチ
９：バッテリ−ＢＯＸ
１０：調光スイッチ
１１：ＡＣ電源の入力端子
１００：鑑識シート（視認対象物）
【図１】
0003183256.tif 000003
【図２】
0003183256.tif 000004
【図３】
0003183256.tif 000005